(57)【要約】【課題】水蒸気を加熱室内の被調理物に供給して調理するオーブンレンジ等の加熱調理器において、被調理物の素早い保湿と被調理物の高効率加熱調理を同時に実現し、簡単でおいしい被調理物を提供する。【解決手段】被調理物４を収容する加熱室２と、該加熱室２を加熱する加熱手段１２と、水蒸気を発生する蒸気発生手段１３と、水蒸気に衝撃を与えて細かく破砕する破砕手段を兼ね備えた送風手段１０とを備え、蒸気発生手段１３から供給された水蒸気を送風手段１０から流出する流出風１７に向けて吹き付け、その衝撃で水蒸気を細かく破砕し、流出風１７と混合した微細水蒸気２０を加熱室２内に供給し、被加熱物４を調理する。【選択図】  図１
2006317016.tif 000002
【特許請求の範囲】
【請求項１】
被調理物を収容する加熱室と、該加熱室を加熱する加熱手段と、水蒸気を発生する蒸気発生手段と、水蒸気に衝撃を与えて細かく破砕する破砕手段を兼ね備えた送風手段とを備え、蒸気発生手段から供給された水蒸気を送風手段から流出する空気流に向けて吹き付け、その衝撃で水蒸気を細かく破砕し、空気流と混合した水蒸気を加熱室内に供給することを特徴とする加熱調理器。
【請求項２】
蒸気発生手段から供給された水蒸気を、送風手段から流出した直後の空気流に向けて吹き付け、その衝撃で水蒸気を細かく破砕し、空気流と混合した水蒸気を加熱室内に供給することを特徴とする請求項１記載の加熱調理器。
【請求項３】
加熱手段と送風手段と該送風手段を覆うダクトで構成される熱風供給手段を備え、該熱風供給手段の内側に向けて噴き出されて空気流と混合した水蒸気を、さらに熱風供給手段の加熱手段によって加熱して高温の水蒸気とし、該高温の水蒸気を加熱室内に供給することを特徴とする請求項１乃至請求項２のいずれかに記載の加熱調理器。
【請求項４】
空気流と混合した水蒸気は、少なくとも、約１０００ナノメートル未満の超微細な水蒸気と、約１マイクロメートル以上の微細な水蒸気の両方を含んでおり、前者の超微細な水蒸気を主に被調理物内に浸透させることで該被調理物を保湿・加湿し、後者の微細な水蒸気を主に被調理物表面に付着・凝縮させることで該被調理物を加熱調理することを特徴とする請求項１乃至請求項３のいずれかに記載の加熱調理器。
【請求項５】
被調理物の質量を検出する質量検出手段と、加熱室内に供給する水蒸気量を調節する制御手段とを備え、質量検出手段の検出値に基づいて制御手段によって蒸気発生手段から供給される水蒸気量を制御し、被調理物の調理内容に応じた適量の水蒸気を加熱室内に供給することを特徴とする請求項１乃至請求項４のいずれかに記載の加熱調理器。
【請求項６】
加熱室の底面に設置されて被調理物を載置する回転しないテーブルと、被調理物の質量を検出する質量検出手段と、加熱室内に供給する水蒸気量を調節する制御手段とを備え、質量検出手段によってテーブル上の被調理物の質量を検出し、該検出値に基づいて制御手段によって蒸気発生手段から供給される水蒸気量を制御し、被調理物の調理内容に応じた適量の水蒸気を加熱室内に供給することを特徴とする請求項１乃至請求項４のいずれかに記載の加熱調理器。
【請求項７】
加熱室の底面に設置されて被調理物を載置する回転しないテーブルと、該テーブルを支持するようにテーブル下面に設置されて被調理物の質量を検出する複数個の質量検出手段と、加熱室内に供給する水蒸気量を調節する制御手段を備え、複数個の質量検出手段の総和によってテーブル上の被調理物の質量を検出し、該検出値に基づいて制御手段によって蒸気発生手段から供給される水蒸気量を制御し、被調理物の調理内容に応じた適量の水蒸気を加熱室内に供給することを特徴とする請求項１乃至請求項４のいずれかに記載の加熱調理器。
【請求項８】
加熱室の底面に設置されて被調理物を載置する回転しないテーブルと、加熱室に加熱空気を循環させる加熱手段と送風手段から構成される熱風供給手段と、送風手段からなる破砕手段と、テーブルを支持するように該テーブルの下面に設置されて被調理物の質量を検出する複数個の質量検出手段と、加熱室内に供給する水蒸気量を調節する制御手段とを備え、複数個の質量検出手段の総和によってテーブル上の被調理物の質量を検出し、該検出値に基づいて制御手段によって蒸気発生手段から供給される水蒸気量を制御すると共に、熱風供給手段を構成する加熱手段と破砕手段によって水蒸気をさらに加熱、破砕し、被調理物の調理内容に応じた適量の水蒸気を加熱室内に供給することを特徴とする請求項１乃至請求項４のいずれかに記載の加熱調理器。
【請求項９】
被調理物を収容する加熱室と、該加熱室を加熱する加熱手段と、水蒸気を発生する蒸気発生手段と、前記加熱室の空気を取り込み空気流を流出する送風手段とを備え、前記蒸気発生手段の蒸気噴出部は、その蒸気噴出部から噴出した水蒸気に前記送風手段からの空気流が吹き付けられる位置に設けられた加熱調理器。
【発明の詳細な説明】
【技術分野】
【０００１】
本発明は、水蒸気を加熱室内の被調理物に供給して調理するオーブンレンジ等の加熱調理器に関するものである。
【背景技術】
【０００２】
従来のこの種の加熱調理器においては、特許文献１に示すように、循環風を発生させるコンベクションファンとコンベクションヒータとを有するコンベクション室と、該コンベクション室と加熱室の境界壁に設けられた吸込口及び吹出口と、加熱室内に供給する蒸気を生成する蒸気生成容器とを備え、該蒸気生成容器を吸込口の近傍に設けたものがある。
【０００３】
また、特許文献２に示すように、加熱室内に電波を照射する高周波発生手段と、蒸気を発生させる蒸発装置と、蒸発装置に水を供給する給水部と、給水を制御する制御手段等を備え、給水部の制御手段に加熱調理毎の必要給水量をあらかじめ設定した高周波及び蒸気によって加熱調理を行う構成としたものもある。
【０００４】
さらに、特許文献３に示すように、赤外線温度センサにより食品の温度を測り、加熱を制御する方式の蒸気発生機能付き高周波加熱装置において、高周波発生部と、加熱室底面に設けられた蒸発皿およびヒータ装置とで構成された蒸気発生部とを備え、ヒータ装置をアルミダイキャストにシーズヒータを埋め込んで構成し、蒸発皿の裏側に直付けしたものもある。
【０００５】
【特許文献１】特開２００４−３１６９９９号公報
【特許文献２】特開２００４−０２８５７８号公報
【特許文献３】特開２００４−２７８８５３号公報
【発明の開示】
【発明が解決しようとする課題】
【０００６】
上記従来技術において、特許文献１に示すものは、蒸気を発生させる蒸気生成容器をコンベクションファンの空気吸込口、すなわち空気の流入側に設けているため、発生した蒸気とコンベクションファンに流入する空気流の混合がスムーズに行われすぎてしまい、蒸気の大きさに変化を与えることが難しい。
【０００７】
また、コンベクションファンによる送風温度が、該コンベクションファンの空気流出側に設けたコンベクションヒータによって加熱されて加熱室内に流入する高温蒸気の温度より低い場合、コンベクションファンに蒸気が結露してしまうことがあり、該結露水が飛散することによってファンモータや電子部品等に悪影響を及ぼすことがある。
【０００８】
さらに、コンベクション室の内側に蒸気生成容器を設けているので、空気流が流れ難くなり、通路抵抗の増大に繋がるとともに、コンベクション室のコンパクト性を阻害する。
【０００９】
また、蒸気生成容器がコンベクションファンの近傍に配置されているため、コンベクションヒータにより加熱される蒸気生成容器の熱がコンヘクションファンや空気流に奪われ、蒸気生成容器が温まり難い。
【００１０】
さらに、過熱状態となった蒸気を被加熱物への与熱効果のみに利用して調理時間の飛躍的向上を目的としているだけであるため、生成された蒸気のその他の利用方法が考慮されていない。
【００１１】
また、別の問題として蒸気生成容器を加熱室後壁の吸込口近傍に設けているため、蒸気生成容器に食品の残骸等が入り易く、その清掃が大変である。
【００１２】
さらに、蒸気生成容器は上部が開放され、その上部から水を滴下する構成であるため、熱風の流れによっては水滴の飛散が考えられ、コンベクション室に硬度成分等の析出によるスケールが付着し易く、また、その清掃性も悪いといった問題が発生する。
【００１３】
次に、特許文献２に示すものは、前記特許文献１と同様に循環ファンを有する部屋の下部に蒸気を発生させる蒸発装置を設け、その蒸発装置によって発生した蒸気を循環ファンの空気流入側に導いているため、蒸気の大きさに変化を与えることが難しい。
【００１４】
また、循環ファン上での結露による水滴飛散や空気流の通路抵抗増大、循環ファンを組み込む部屋のコンパクト性阻害といった問題等が発生する。
【００１５】
さらに、この特許文献２では、食品の種類に応じたいろいろな電波の出力と湿度の組み合わせを半導体メモリーに書き込み、調理するときに必要なメモリーを呼び出して実行させるので、少々複雑な調理内容でも簡単に出来、きめ細かい調理が可能になると述べられているが、食品の種類に応じた電波出力と湿度の組み合わせをメモリーに記憶出来ても、食品の量（例えば、食品質量、何人前）がわからないと、正確に加熱制御が出来ないという問題がある。そして、その対策としては、マニュアル操作で食品の量もしくは加熱時間を利用者が手入力しなければならず、このために利用者は事前に食品の量を秤等により計測しなければならなくなるという問題もある。
【００１６】
また、特許文献３に示すものは、蒸気発生機能付き高周波加熱装置において、前記対策の一つとして、食品の量がわからなくても赤外線温度センサにより食品の温度を測り、加熱を制御する方法である。
【００１７】
しかし、蒸気が存在する環境での赤外線温度センサによる温度計測は、その明細書中において以下の問題点が指摘されている。
【００１８】
すなわち、蒸気が加熱室内に充満すると、赤外線温度センサは、被加熱物（食品等の被調理物）の温度ではなく、被加熱物との間に存在する蒸気の浮遊粒子の温度を測定するようになる。このため、被加熱物の温度を正確に計ることができなくなる。すると、赤外線温度センサの温度検出結果に基づいてなされる加熱制御が正常に動作しなくなり、例えば加熱不足、加熱過剰等の不具合が発生し、特にシーケンシャルな手順で行う自動調理を行う場合には、加熱不良のまま次のステップに進むことになり、単なる再加熱や放冷等により対処できず、調理が失敗に終わる可能性もある、ということである。
【００１９】
このため、蒸気を利用した加熱調理においては、赤外線温度センサを利用して加熱室内の被調理物の温度を正確に計測することは非常に難しく、赤外線温度センサは加熱制御の手段として使えないという問題点がある。
【００２０】
本発明は、上記課題のうち少なくとも１つを解決することを目的としている。
【課題を解決するための手段】
【００２１】
上記課題を解決するために、請求項１では、被調理物を収容する加熱室と、該加熱室を加熱する加熱手段と、水蒸気を発生する蒸気発生手段と、水蒸気に衝撃を与えて細かく破砕する破砕手段を兼ね備えた送風手段とを備え、蒸気発生手段から供給された水蒸気を送風手段から流出する空気流に向けて吹き付け、その衝撃で水蒸気を細かく破砕し、空気流と混合した水蒸気を加熱室内に供給するものである。
【００２２】
また、請求項２では、蒸気発生手段から供給された水蒸気を、送風手段から流出した直後の空気流に向けて吹き付けて衝突させ、その衝撃で水蒸気を細かく破砕し、空気流と混合した水蒸気を加熱室内に供給するものである。
【００２３】
また、請求項３では、加熱手段と送風手段と該送風手段を覆うダクトで構成される熱風供給手段を備え、該熱風供給手段の内側に向けて噴き出されて空気流と混合した水蒸気を、さらに熱風供給手段の加熱手段によって加熱して高温の水蒸気とし、該高温の水蒸気を加熱室内に供給するものである。
【００２４】
さらに、請求項４では、空気流と混合した水蒸気は、少なくとも、約１０００ナノメートル未満の超微細な水蒸気と、マイクロメートルオーダ以上約１マイクロメートル以上の微細な水蒸気の両方を含んでおり、前者の超微細な水蒸気を主に被調理物内に浸透させることで該被調理物を保湿・加湿し、後者の微細な水蒸気を主に被調理物表面に付着・凝縮させることで該被調理物を加熱調理するものである。
【００２５】
また、請求項５では、被調理物の質量を検出する質量検出手段と、加熱室内に供給する水蒸気量を調節する制御手段とを備え、質量検出手段の検出値に基づいて制御手段によって蒸気発生手段から供給される水蒸気量を制御し、被調理物の調理内容に応じた適量の水蒸気を加熱室内に供給するものである。
【００２６】
また、請求項６では、加熱室の底面に設置されて被調理物を載置する回転しないテーブルと、被調理物の質量を検出する質量検出手段と、加熱室内に供給する水蒸気量を調節する制御手段とを備え、質量検出手段によってテーブル上の被調理物の質量を検出し、該検出値に基づいて制御手段によって蒸気発生手段から供給される水蒸気量を制御し、被調理物の調理内容に応じた適量の水蒸気を加熱室内に供給するものである。
【００２７】
さらに、請求項７では、加熱室の底面に設置されて被調理物を載置する回転しないテーブルと、該テーブルを支持するようにテーブル下面に設置されて被調理物の質量を検出する複数個の質量検出手段と、加熱室内に供給する水蒸気量を調節する制御手段を備え、複数個の質量検出手段の総和によってテーブル上の被調理物の質量を検出し、該検出値に基づいて制御手段によって蒸気発生手段から供給される水蒸気量を制御し、被調理物の調理内容に応じた適量の水蒸気を加熱室内に供給するものである。
【００２８】
さらに、請求項８では、加熱室の底面に設置されて被調理物を載置する回転しないテーブルと、加熱室に加熱空気を循環させる加熱手段と送風手段から構成される熱風供給手段と、送風手段からなる破砕手段と、テーブルを支持するように該テーブルの下面に設置されて被調理物の質量を検出する複数個の質量検出手段と、加熱室内に供給する水蒸気量を調節する制御手段とを備え、複数個の質量検出手段の総和によってテーブル上の被調理物の質量を検出し、該検出値に基づいて制御手段によって蒸気発生手段から供給される水蒸気量を制御すると共に、熱風供給手段を構成する加熱手段と破砕手段によって水蒸気をさらに加熱、破砕し、被調理物の調理内容に応じた適量の水蒸気を加熱室内に供給するものである。
【発明の効果】
【００２９】
本発明の請求項１によれば、蒸気発生手段から供給された水蒸気を送風手段から流出する空気流に向けて吹き付け、その衝撃で水蒸気を細かく破砕し、空気流と混合した水蒸気を加熱室内に供給するため、蒸気発生手段から噴出、供給された水蒸気をマイクロメートルからナノメートルオーダの微細な水蒸気に生成でき、さらに万一、蒸気発生手段から蒸発しきれなかった細かい水滴がミスト状に噴出しても破砕手段等によって細かく粉砕されるので、マイクロメートルからナノメートルオーダのミストも同時に生成できるものであり、これによって、ナノメートルオーダの超微細な水蒸気による被調理物の素早い保湿と、マイクロメートルオーダ以上の微細な水蒸気による被調理物の高効率加熱調理の両方が同時に実現できる。
【００３０】
また、請求項２によれば、送風手段を破砕手段として兼用し、蒸気発生手段から供給された水蒸気を送風手段から流出した空気流と激しく衝突、撹乱させて衝撃を与え、微細な水蒸気を発生させることにより、被調理物の素早い保湿と被調理物の高効率加熱調理を同時に実現できる。また、これによって水蒸気発生機構のコンパクト化と低コスト化に繋げることができる。
【００３１】
また、請求項３によれば、送風手段からの空気流と混合した水蒸気を、さらに熱風供給手段によって加熱するので、熱風供給手段を共用して効率よく加熱室内に供給することができる。
【００３２】
さらに、請求項４によれば、生成された微細な水蒸気を被調理物の加熱に利用するだけでなく、超微細な水蒸気を被調理物の保湿にも利用することが出来、蒸気発生手段で生成された水蒸気の利用の応用範囲を広げることが出来る。
【００３３】
また、請求項５によれば、請求項１乃至請求項４記載の構成を被調理物を丸いテーブルに載せて回転調理するオーブンレンジにも適用して被調理物の種類、調理、重さに対応した水蒸気量を供給制御できるので、蒸気を利用した最適な調理が実現できる。もちろん、質量検出手段を利用した調理は、赤外線温度センサの問題点を十分にカバーできる最良の加熱制御を実現できることは言うまでもない。
【００３４】
また、請求項６によれば、請求項１乃至請求項４記載の構成を被調理物を載せたテーブルが回転しないターンテーブルレス式オーブンレンジにも適用でき、前記と同様の効果を得ることが出来る。
【００３５】
さらに、請求項７及び請求項８によれば、例えば３個の質量検出手段の総和によってテーブル上の被調理物の重さを検出し、該検出値に基づいて制御手段によって蒸気発生手段から供給される水蒸気量を制御できるし、その質量検出手段の出力値の割合から被調理物が載置されているテーブル上の載置位置も特定できるので、その被調理物に向けて水蒸気を効率良く吹き付けることが可能となる。
【発明を実施するための最良の形態】
【００３６】
以下、本発明の加熱調理器を、マグネトロンなどで構成される高周波加熱手段を有する電気式オーブンレンジを例にとって説明する。なお、本発明は、電気オーブン、電子レンジなどの加熱調理器にも適用できる。
【実施例１】
【００３７】
図１は本発明の電気式オーブンレンジの側面断面図である。
【００３８】
図２はその電気式オーブンレンジの背面側から見た斜視図であり、外枠であるカバー３５を本体前方に取り外した状態である。
【００３９】
電気式オーブンレンジの本体１は、加熱調理する食品等の被調理物４を収容する加熱室２、該加熱室２の底面２ｃに設けられた被調理物４を載置する回転しないテーブル３、加熱室２に熱風を循環させる熱風ユニット５、レンジ調理の加熱源であるマグネトロン６、マイクロ波を導く導波管７、加熱室２にマイクロ波を照射する回転アンテナ８及びアンテナモータ９等で構成されている。
【００４０】
前記マグネトロン６、導波管７、回転アンテナ８及びアンテナモータ９等についてはすでに公知であるので、詳細な説明は省略するが、これらの構成部品は図示されているように加熱室２と本体１底面との間の機械室に配置されている。
【００４１】
オーブン調理に使われる熱風ユニット５は、熱風供給手段を構成するもので、ダクト５ａと、このダクト５ａ内のほぼ中央に回転自在に設けられたファン等の送風手段１０、この送風手段１０の外周の上下、すなわち空気流の流出側に設けられたヒータ等の加熱手段１２、ダクト５ａに取り付けられたファンモータ１１等で構成され、本体１の背面壁に配置されている。
【００４２】
また、加熱室２の背面壁には、多数のパンチング孔よりなる吸込孔２ａ、吹出孔２ｂが設けられており、吸込孔２ａは送風手段１０の略中心部、すなわち空気流の吸込孔２ａに対向した位置に設けられ、吹出孔２ｂは上下の加熱手段１２に対向した位置に設けられている。
【００４３】
さらに、本体１の前方には被調理物４を出し入れする開閉自在なドア３６が設けられている。
【００４４】
図1及び図２の電気式オーブンレンジの本体１は、加熱室２の中央に回転するテーブルがない、いわゆるターンテーブルレス式オーブンレンジと言われるものである。
【００４５】
ここで、１３は蒸気発生手段であり、水が供給される容器１３ａと、該容器１３ａを加熱するヒータ１３ｂ、サーミスタ等の温度検出器（図示せず）等から構成されており、これらは熱風ユニット５と本体１の背面壁との間に配置されている。
【００４６】
また、容器１３ａはアルミダイキャスト等のアルミニウム材やステンレス材等の錆び難い金属材料で構成され、ヒータ１３ｂは容器１３ａの肉部に埋め込まれたシーズヒータ等で構成されている。但し、容器１３ａ、ヒータ１３ｂともこれらの構成に限る必要はなく、容器１３ａは、昇温時間を短くするために熱容量を小さくすることが好ましく、より望ましくは容器１３ａの質量が１００ｇ〜２００ｇ程度がよい。また、ヒータ１３ｂは、同じように昇温時間を短くするために、望ましくは１００Ｖ電圧において、消費電力を５００Ｗ〜１０００Ｗ程度にするのがよい。
【００４７】
このように、質量や消費電力を上記の数値にすることにより、蒸気発生手段１３の所定温度までの昇温時間を３０秒〜１分程度、もしくはそれ以下にすることができる。
【００４８】
もちろん、容器１３ａとヒータ１３ｂは、この仕様や数値に限定する必要はないし、容器１３ａやヒータ１３ｂはそれぞれ複数個に分割されていてもよい。また、蒸気発生手段１３の外壁を断熱材で覆い、周囲への放熱を抑制すると、昇温時間が短縮されたり、加熱効率の向上／省エネに繋がる。
【００４９】
容器１３ａへの水の供給は、本体１内に設けられた水タンク１４から水ポンプ１５と水配管３４を介して行われる。ここで、水としては、衛生面を考えると、塩素成分を若干含む水道水等が望ましい。また、水タンク１４や水ポンプ１５、水配管３４は、図１及び図２に示す位置に限る必要はない。特に、水タンク１４は、本体１の前方から容易に取り出しやすい位置がよく、本体１の前方から見えるように、該本体１の底面か上面、又は側面がよい。
【００５０】
１８は蒸気の吹出口で、蒸気発生手段１３に接続されており、その先端は、送風手段１０から流出する空気流に向けて吹き付けるように開口している。そして、最も望ましくは、送風手段１０から流出した直後の空気流に向けて吹き付け、該空気流に衝突させるように開口させるのがよい。また、吹出口１８の口径の大きさと数は水蒸気の噴出速度を制御するパラメータとなるもので、本発明では、口径は１〜３ｍｍで、個数は２〜４個が望ましい。
【００５１】
以上のように構成された熱風ユニット５を有するターンテーブルレス方式の電気式オーブンレンジで、熱風を使ったオーブン調理を行うと、本発明では以下のことが実行される。
（１）熱風ユニット５が運転されると送風手段１０がＯＮとなり、加熱室２から吸込孔２ａを通して熱風ユニット５内に吸い込まれた流入風１６は、送風手段１０の回転によって高速の流出風１７となって該送風手段１０から勢い良く流出する。
（２）蒸気発生手段１３では、ヒータ１３ｂがＯＮとなり、容器１３ａの昇温が開始される。
（３）容器１３ａが所定温度に近づくと、水配管３４を通して水タンク１４から水ポンプ１５によって、所定水量の水が蒸気発生手段１３に供給される。所定温度の一例としては、水が沸騰・蒸発する飽和温度以上であり、１５０℃〜２５０℃程度が望ましいが、１５０℃以下であっても２５０℃以上であっても差し支えない。
【００５２】
また、所定水量は、被調理物４である食品やその調理メニューによって異なるが、５ｃｃ／分〜２０ｃｃ／分程度が望ましい。
（４）蒸気発生手段１３に水が供給されると、該供給水が高温に保たれた容器１３ａの内壁等に接触して瞬時に沸騰、蒸発し、飽和水蒸気が生成される。飽和水蒸気は、大気圧下では飽和温度が１００℃である。なお、本実施例では、工程（２）から（４）では、先に蒸気発生手段１３を容器１３ａを昇温させて所定温度に達した後、該蒸気発生手段１３に少量の水を連続的または間欠的に供給し、瞬時に沸騰・蒸発させる方法をとっているが、別の方法として、先に蒸気発生手段１３に所定量の水を貯水し、その後、貯水された蒸気発生手段１３を昇温させて徐々に水を蒸発させる方式であっても差し支えない。
（５）蒸発した飽和水蒸気１９は、水の体積に対して１６００倍程度に膨張するので、該水蒸気１９は蒸気発生手段１３の蒸気噴出口である吹出口１８から勢いよく噴出する。吹出口１８の大きさと数は、上記でも述べたように水蒸気１９の噴出速度を制御するパラメータとなるもので、本発明では、吹出口１８の口径は１〜３ｍｍで、個数は２〜４個が望ましい。
（６）蒸気発生手段１３から噴出した水蒸気１９は、前記（１）で生成された送風手段１０から出た直後の高速の流出風１７と勢いよく衝突して衝撃力を与え、該水蒸気１９に含まれていた大きい径の水蒸気はさらに細かく破砕される。なお、前記蒸気発生手段１３から噴出した水蒸気１９は、送風手段１０から出た直後の高速の流出風１７ではなく、空気流の流出端側、例えば、図１において、蒸気発生手段１３と送風手段１０の高さ方向の位置関係を接近させて、吹出口１８から噴出する水蒸気１９を送風手段１０の羽根部の先端部側に吹き当ててもよい。また、蒸気発生手段１３と送風手段１０の位置関係は図１のままで、吹出口１８にチューブを接続し、該チューブによって水蒸気１９を前記のように送風手段１０に導いてもよい。
【００５３】
よって、本発明では、ラジアルファンなどで構成される送風手段１０が水蒸気を細かく破砕する破砕手段であり、蒸気発生手段１３から供給された水蒸気１９が送風手段１０の羽根部の先端部周辺、もしくは送風手段１０から流出した直後の高速流出風１７（空気流）と激しく衝突することによって、水蒸気１９に衝撃を与えて細かく破砕することが特徴である。ここで、送風手段１０の種類はラジアルファンでなくてもよく、クロスフローファンやシロッコファン、ターボファン等であっても差し支えない。
（７）前記（６）によって生成された径の異なる水蒸気は、その後、熱風ユニット５内の加熱手段１２によって加熱され、微細水蒸気２０等をたくさん含んだ高温熱風となって、吹出孔２ｂから加熱室２及び被調理物４に供給される。
【００５４】
加熱手段１２によって加熱された微細水蒸気２０等をたくさん含んだ高温熱風の温度は、１００℃から３５０℃程度にすることもできるが、本実施例においてオーブン調理を考えた場合、より望ましくは２００℃から３００℃程度がよい。
【００５５】
また、本発明の加熱、破砕された微細水蒸気２０は、少なくともナノメートルオーダ〔水分子の大きさである約０．３ナノメートル（ｎｍ）から１０００ｎｍ未満〕の超微細な水蒸気と、マイクロメートルオーダ〔約１マイクロメートル(μｍ)〕以上の微細な水蒸気の両方を含んでいることが特徴である。もちろん、蒸気発生手段１３の中で蒸発し切れなかった数十から数百マイクロメートルオーダの微細水滴が水蒸気１９に含まれて噴出する場合や、蒸気発生手段１３から噴出した水蒸気１９がその直後に急冷されて微細水滴になる場合もあるが、いずれの微細水滴も、本発明の破砕手段である送風手段１０と加熱手段１２によって、さらに細かく破砕することができる。
（８）前記（１）〜（７）によって生成された微細水蒸気２０（ナノメートルオーダの超微細な水蒸気とマイクロメートルオーダ以上の微細な水蒸気を含んでいる）は、加熱室２内の被調理物４に吹き付けられて作用し、図３に示すような次の効果が得られる。
【００５６】
つまり、一つは、微細水蒸気２０に含まれる最も径の小さいナノメートルオーダの超微細水蒸気２０ａは被調理物４の内部に浸透して行き、該被調理物４に水分を補給することによって加湿や保湿を行う。これは、ナノメートルオーダの超微細水蒸気の大きさが、被調理物４の表層等の生地の細かさより小さいため、被調理物４の表層から内部に容易に浸透して行けるためである。
【００５７】
一方、もう一つは、微細水蒸気２０に含まれるマイクロメートルオーダ以上のやや径の大きい微細水蒸気２０ｂが被調理物４の表面に接触、付着し、温度が低い被調理物４の表面で凝縮することで大きな加熱エネルギを発生し、効率良い加熱を行う。つまり、微細水蒸気２０ｂが凝縮水滴２１になることによって発生する凝縮潜熱によって、被調理物４を効率良く加熱調理していく。当然、前記した本発明の微細水蒸気２０の二つの効果は主たる効果であり、それ以外の効果を生み出してもよいし、２種類の水蒸気がお互いに補完しあってもよい。
【００５８】
なお、前記工程（１）〜（４）は、各工程の順番がそれぞれ入れ替わってもよい。
【実施例２】
【００５９】
図４は本発明の他の実施例で、図１と同様にターンテーブルレス方式の電気式オーブンレンジであるが、加熱室２の底面に置かれたテーブル３が加熱室２とは分離されており、加熱室２から着脱自在であり、テーブル３の下に被調理物４の重さを測る質量検出手段２２を設置していることが、大きな相違点である。
【００６０】
本構成によれば、質量検出手段２２によってテーブル３上の被調理物４の重さを検出し、該検出値に基づいて制御手段２７によって蒸気発生手段１３から供給される水蒸気量１９を制御し、被調理物４の調理内容に応じた適量の微細水蒸気２０を加熱室２内に供給できることが特徴である。
【００６１】
図５は、質量検出手段２２の一例で、測定原理が静電容量式の検出手段である。該静電容量式の質量検出手段２２は、薄板の金属材で作られた可動電極２８と固定電極２９から構成され、加熱室底面２ｃに取り付けられている。
【００６２】
ここで、固定電極２９と可動電極２８は略平行に対向して所定の隙間、すなわち検出空間３０を保持し、該固定電極２９と可動電極２８との間にコンデンサを形成し、テーブル３に載置された被調理物４の重さに応じて移動する可動電極２８と、静置している固定電極２９との検出空間３０の変化を静電容量の変化に変換し、静電容量変化の検出から被調理物４の重さを算出するようになっている。なお、本発明での質量検出手段２２は、静電容量式に限る必要はなく、歪式や光学式センサ等であっても差し支えない。
【００６３】
また、図６は、図４の質量検出手段２２を有する電気式オーブンレンジ１の加熱室底面２ｃを上から見た平面略図である。本実施例では、テーブル３の下部には質量検出手段２２が３個設置されており、加熱室底面２ｃの後方中央部の質量検出手段２２ａと、加熱室底面２ｃの前方左側部の質量検出手段２２ｂと、加熱室底面２ｃの前方右側部の質量検出手段２２ｃによりテーブル３が安定に３点支持されている。なお、質量検出手段２２によるテーブル３の支持は３点に限る必要はなく、４点であってもよく、さらには、それ以外の個数による支持であっても何ら差し支えない。
【００６４】
図４と図６において、質量検出手段２２から制御手段２７に出ている信号線がそれぞれ質量検出信号２３、制御手段２７から回転アンテナ９に出ている信号線がアンテナ制御信号２４、制御手段２７から熱風ユニット５側近の蒸気発生手段１３に出ている信号線が蒸気量制御信号２５、制御手段２７からマグネトロン６に出ている信号線がマイクロ波制御信号２６、制御手段２７から加熱手段１２に出ている信号線が加熱量制御信号４０である。なお、ここに示した検出信号、制御信号以外の信号線や動力線は省略している。
【００６５】
次に、前記図４から図６に示す質量検出手段２２と熱風ユニット５を有するターンテーブルレス式オーブンレンジ１において、図７のフローチャートを用いて自動の調理方法を具体的に説明する。
【００６６】
＜ステップ１＞
まず、ドア３６を開けて被調理物４をテーブル３上に載置し、該ドア３６を閉める。そして、食品の種類や調理メニュー内容を操作パネル上のダイヤルやボタン等（図省略）により手入力する。なお、被調理物等を自動認識できる調理機器においては、該ステップ１は省略されてもよい。
【００６７】
＜ステップ２＞
調理メニュー内容等を確認後、同様にダイヤルやボタン等により調理開始（スタート）を手入力する。なお、これらの手入力は本体１の操作パネル上ではなく、リモコンで行える加熱調理器においては、遠隔リモコン操作で行ってもよい。
【００６８】
＜ステップ３＞
ステップ２の操作が終わると、オーブンレンジ１の制御手段２７が指令を出して、質量検出手段２２によって被調理物（食品）４の質量検出を自動的に行う。つまり、本実施例のオーブンレンジ１では、被調理物４の重さは自動検出されるので、ユーザが手入力で被調理物４の重さ情報（重さ何グラムや、何人前、何人分等）を入力する必要がないので、ユーザが事前に被調理物４の重さを測ったり、重さ情報を手入力するなどの手を煩わすことがない。
【００６９】
本実施例では、以下のようにして被調理物４の質量検出を自動的に行う。
（１）テーブル３の下部に設けた３個の質量検出手段２２ａ、２２ｂ、２２ｃによって、それぞれの支持点での重さＷａ、Ｗｂ、Ｗｃを検出する。
（２）３個の質量検出手段２２ａ、２２ｂ、２２ｃの総和（Ｗ＝Ｗａ＋Ｗｂ＋Ｗｃ）によってテーブル３上の被調理物４の重さを算出する。
【００７０】
＜ステップ４＞
ステップ１で食品の種類や調理メニュー内容がわかり、ステップ３で食品（被調理物）４の重さがわかったので、これらの情報をもとに加熱時間を決定する。本加熱時間の設定も、制御手段２７等によって自動的に算出し、決定される。
【００７１】
＜ステップ５＞
蒸気を使った調理をしない場合は、本ステップ５は不要となるが、本実施例のように蒸気を使った加熱調理では、前記被調理物４の種類や調理メニュー、被調理物４の重さ、加熱時間をもとに蒸気発生量を自動的に算出し、決定する。蒸気発生量の制御は、例えば制御手段２７によって蒸気発生手段１３に供給される供給水量を制御することにより行うことができる。なお、熱風や蒸気の温度制御は、加熱手段１２や１３ｂにより行われる。
【００７２】
＜ステップ６＞
前記諸々量の算出と決定は自動的にほぼ瞬時に行われ、その後、蒸気を使った加熱調理が自動的にスタートする。調理中の蒸気発生量は、被調理物４の種類、調理メニュー、質量等の情報に応じて、制御手段２７で適正に制御される。蒸気発生手段１３から蒸気を連続的に発生させる調理もあれば、間欠的に発生させる調理もあるし、蒸気発生量が５ｃｃ／分程度でよい調理もあるし、２０ｃｃ／分程度必要な調理もある。また、熱風温度も、オーブン調理に適した温度、例えば、２００℃から３００℃程度に制御される。なお、ここで、高温熱風が必要なオーブン調理でない場合（例えばレンジ調理）は、熱風ユニット５を構成する加熱手段１２はＯＦＦで、送風手段１０のみをＯＮすればよく、その場合でも、送風手段１０が破砕手段の役目を果たし、水蒸気の細分化、微細化が行われる。
【００７３】
これら、被調理物４の種類、調理メニュー、質量等の情報と、蒸気発生量や熱風温度等の制御諸量との関係は、あらかじめオーブンレンジ１の制御手段２７等に記憶されている情報と、それをもとにした計算から算出できる。
【００７４】
＜ステップ７＞
ステップ６でスタートした蒸気を使った加熱調理は、所定時間（ステップ６で決定された加熱時間）をかけて行われる。
【００７５】
＜ステップ８＞
そして、所定時間（加熱時間）経過すると調理が終了し、ユーザに終了を知らせる。
【００７６】
前記した調理方法に加え、本発明の構成では、さらに以下のことができるようになる。つまり、テーブル３の下部に設けた３個の質量検出手段２２ａ、２２ｂ、２２ｃによって、それぞれの支持点での重さＷａ、Ｗｂ、Ｗｃを検出した後、該３個の質量検出手段２２ａ、２２ｂ、２２ｃの総和（Ｗ＝Ｗａ＋Ｗｂ＋Ｗｃ）によってテーブル３上の被調理物４の重さを算出すると共に、前記した３つの支持点での重さＷａ、Ｗｂ、Ｗｃの検出値の割合（重さのかかり方）から被調理物４の載置されている位置を算出することができるので、その載置位置を目掛けて微細水蒸気２０を集中して吹き付けることが可能であり、さらには回転アンテナ８の回転を制御して（停止も含む）マイクロ波を集中照射することも可能となる。
【００７７】
なお、前記のように載置位置に微細水蒸気２０を集中して吹き付けるには、図１、図４等において、微細水蒸気２０の加熱室２への吹出孔２ｂの直前の熱風ユニット５内に検出された載置位置に基づいて流れを制御する流れ制御手段（図示せず）を設ける必要がある。該流れ制御手段は電動式のルーバ等でよい。
【００７８】
また、図７で説明した調理のフローは手入力で行ってもよい。つまり、ステップ３、４、５において、被調理物４の重さ、加熱時間、蒸気量を、ダイヤルやボタン等により手入力するものである。
【実施例３】
【００７９】
図８は本発明の他の実施例で、前記した実施例と異なり、加熱室２の中央に設けた回転テーブル３２が回転するターンテーブル方式の電気式オーブンレンジであり、熱風ユニット５は前記実施例と同様に有している。
【００８０】
熱風ユニット５と蒸気発生手段１３は図１、図４と同様で、マグネトロン６から出たマイクロ波は導波管７を介して加熱室２の側面から被調理物４に照射される構成である。
【００８１】
回転テーブル３２は、その下部にあるテーブルモータ３３により回転し、その同軸端部に１個の質量検出手段２２が設置されており、該質量検出手段２２により回転テーブル３２上に載置された被調理物４の重さを検出することができ、その質量検出信号２３は制御手段２７に送られる。調理方法は前記図７等で説明した内容と同様である。
【図面の簡単な説明】
【００８２】
【図１】本発明の電気式オーブンレンジの側面断面図である。
【図２】図１の電気式オーブンレンジを背面から見た斜視図である。
【図３】本発明の被調理物への水蒸気作用の模式図である。
【図４】本発明の質量検出手段を有する電気式オーブンレンジの側面断面図である。
【図５】本発明の静電容量式質量検出手段の側面断面図である。
【図６】本発明の質量検出手段でテーブルを３点支持する構成図である。
【図７】本発明の調理方法のフローチャートである。
【図８】本発明のターンテーブル式オーブンレンジの側面断面図である。
【符号の説明】
【００８３】
１    本体
２    加熱室
２ａ  吸込孔
２ｂ  吹出孔
３    テーブル
５    熱風ユニット
１０    送風手段
１２    加熱手段
１３    蒸気発生手段
１８    吹出口
１９    水蒸気
２０    微細水蒸気
２１    凝縮水滴
２２    質量検出手段
２７    制御手段
【図１】
2006317016.tif 000003
【図２】
2006317016.tif 000004
【図３】
2006317016.tif 000005
【図４】
2006317016.tif 000006
【図５】
2006317016.tif 000007
【図６】
2006317016.tif 000008
【図７】
2006317016.tif 000009
【図８】
2006317016.tif 000010